(57)【要約】【課題】本考案は、粘着シートの加熱が便利で、加熱温度を有効に制御できる人体用粘着シートの加温及び保温装置を提供する。【解決手段】本考案の人体用粘着シートの加温及び保温装置は、上ケースと、下ケースと、を備え、上ケースと下ケースの間には、人体用粘着シートを収容する空間が設けられるケースと、ケースに設けられ、人体用粘着シートに熱を提供する加熱ユニットと、加熱ユニットに電流を供給して熱を発生する電気ユニットと、を少なくとも備える電気加熱装置と、を少なくとも含む。【選択図】図１
0003174657.tif 000002
【実用新案登録請求の範囲】
【請求項１】
上ケースと、下ケースと、を備え、前記上ケースと前記下ケースの間には、人体用粘着シートを収容する空間が設けられるケースと、
前記ケースに設けられ、人体用粘着シートに熱を提供する加熱ユニットと、前記加熱ユニットに電流を供給して熱を発生する電気ユニットと、を少なくとも備える電気加熱装置と、
を少なくとも含むことを特徴とする人体用粘着シートの加温及び保温装置。
【請求項２】
前記ケースは、前記上ケースの一端が前記下ケースの一端に枢着され、前記上ケースと前記下ケースが一体成形されて溝を有し、或いは前記上ケースと前記下ケースを組合せて構成されて溝を有することを特徴とする、請求項１に記載の人体用粘着シートの加温及び保温装置。
【請求項３】
前記電気ユニットは、更に、前記加熱ユニットの温度を制御する温度制御具を含むことを特徴とする、請求項１に記載の人体用粘着シートの加温及び保温装置。
【請求項４】
前記電気ユニットは、更に、前記加熱ユニットを加熱する時間を制御する時間制御具を含むことを特徴とする、請求項１に記載の人体用粘着シートの加温及び保温装置。
【請求項５】
前記加熱ユニットは、電気抵抗式電熱プレートであり、前記上ケースと前記下ケースの間に設けられ、或いは前記ケースの外面に設けられることを特徴とする、請求項１から４の何れかに記載の人体用粘着シートの加温及び保温装置。
【請求項６】
前記加熱ユニットは、少なくとも一つの電気抵抗式電熱柱であり、前記上ケースと前記下ケースの間に設けられることを特徴とする、請求項１から４の何れかに記載の人体用粘着シートの加温及び保温装置。
【請求項７】
前記加熱ユニットは、入水口と、少なくとも一つの水蒸気穴と、を含み、前記入水口は前記ケースの外面に設けられ、前記水蒸気穴は前記上ケースと前記下ケースの間に設けられることを特徴とする、請求項１から４の何れかに記載の人体用粘着シートの加温及び保温装置。
【請求項８】
前記上ケースの一端が前記下ケースの一端に枢着される構成は、更に、仕切ユニットを含み、前記仕切ユニットにより、前記上ケースと前記下ケースの間にある収容空間が仕切られることを特徴とする、請求項２に記載の人体用粘着シートの加温及び保温装置。
【請求項９】
前記仕切ユニットは、隣接するように配列される二つの仕切片と、少なくとも三つの湾曲可能な橋部と、を含み、前記橋部のうちの一つは、前記二つの仕切片の間に位置し、その両端が前記二つの仕切片の互いに対応するエッジとそれぞれ連接し、前記橋部の残りは、その両端が前記ケースの内面及び前記内面に対応する仕切片のエッジとそれぞれ連接し、前記ケースを開けたとき、扇形を呈する三つの収容空間が形成されることを特徴とする、請求項８に記載の人体用粘着シートの加温及び保温装置。
【請求項１０】
前記各仕切片には、更に、貫通孔が少なくとも一つ設けられることを特徴とする、請求項９に記載の人体用粘着シートの加温及び保温装置。
【請求項１１】
前記電気ユニットは、更に、前記加熱ユニットの温度を制御する温度制御具を含むことを特徴とする、請求項８から１０の何れかに記載の人体用粘着シートの加温及び保温装置。
【請求項１２】
前記電気ユニットは、更に、前記加熱ユニットを加熱する時間を制御する時間制御具を含むことを特徴とする、請求項８から１０の何れかに記載の人体用粘着シートの加温及び保温装置。
【考案の詳細な説明】
【技術分野】
【０００１】
本考案は、人体用粘着シートを加熱する装置に関し、特に、顔、目、胸、又は人体の他の部位に付けるための粘着シートを加熱できる人体用粘着シートの加温及び保温装置に関するものである。
【背景技術】
【０００２】
目下、顔、目、胸、又は人体の他の部位に付けるための粘着シートの材料は、パルプ、綿、又は不織布などを採用する。粘着シートは、顔部の形状、眼部の形状、Ｔ字形、又は人体の他の部位の形状にすることにより、利用が便利となる。市販している粘着シートは、スキンケア液などが塗布されていないものと、スキンケア液などが塗布されたものと、を有する。
【０００３】
スキンケア液などが塗布されていない粘着シートは、利用する前に、粘着シートを貼り付けたい部位にスキンケア液などを塗布して、粘着シートを貼り付ける。このように、スキンケア液などの水分や栄養成分が人体の皮膚に吸収され得る。
【０００４】
スキンケア液などが塗布された粘着シートは、すず箔に包装されることが一般的であり、利用する前に、すず箔製の包装を開けて、貼り付けたい部位に粘着シートを直接に貼り付ける。このように、スキンケア液などの水分や栄養成分が人体の皮膚に吸収され得る。
【０００５】
粘着シートを加熱して利用すると、皮膚の毛穴が拡大するため、皮膚を清潔にし、又は保養する効果を増加できる。すず箔に包装される粘着シートの加熱方法は、ヘアドライヤーやお湯により粘着シートを加熱する。しかし、上記のような加熱方法によれば、粘着シートの加熱が不便であり、そして加熱温度を有効に制御できない問題があった。
【考案の概要】
【考案が解決しようとする課題】
【０００６】
本考案の主な目的は、粘着シートの加熱が便利となり、加熱温度を有効に制御できる人体用粘着シートの加温及び保温装置を提供することにある。
【課題を解決するための手段】
【０００７】
本考案の人体用粘着シートの加温及び保温装置によると、上ケースと、下ケースと、を備え、上ケースと下ケースの間には、人体用粘着シートを収容する空間が設けられるケースと、
ケースに設けられ、人体用粘着シートに熱を提供する加熱ユニットと、加熱ユニットに電流を供給して熱を発生する電気ユニットと、を少なくとも備える電気加熱装置と、
を少なくとも含むことを特徴とする。
【０００８】
本考案の人体用粘着シートの加温及び保温装置によると、ケースは、上ケースの一端が下ケースの一端に枢着され、上ケースと下ケースが一体成形されて溝を有し、或いは上ケースと下ケースを組合せて構成されて溝を有することを特徴とする。
【０００９】
本考案の人体用粘着シートの加温及び保温装置によると、電気ユニットは、更に、加熱ユニットの温度を制御する温度制御具を含むことを特徴とする。
【００１０】
本考案の人体用粘着シートの加温及び保温装置によると、電気ユニットは、更に、加熱ユニットを加熱する時間を制御する時間制御具を含むことを特徴とする。
【００１１】
本考案の人体用粘着シートの加温及び保温装置によると、加熱ユニットは、電気抵抗式電熱プレートであり、上ケースと下ケースの間に設けられ、或いはケースの外面に設けられることを特徴とする。
【００１２】
本考案の人体用粘着シートの加温及び保温装置によると、加熱ユニットは、少なくとも一つの電気抵抗式電熱柱であり、上ケースと下ケースの間に設けられることを特徴とする。
【００１３】
本考案の人体用粘着シートの加温及び保温装置によると、加熱ユニットは、入水口と、少なくとも一つの水蒸気穴と、を含み、入水口はケースの外面に設けられ、水蒸気穴は上ケースと下ケースの間に設けられることを特徴とする。
【００１４】
本考案の人体用粘着シートの加温及び保温装置によると、上ケースの一端が下ケースの一端に枢着される構成は、更に、仕切ユニットを含み、仕切ユニットにより、上ケースと下ケースの間にある収容空間が仕切られることを特徴とする。
【００１５】
本考案の人体用粘着シートの加温及び保温装置によると、仕切ユニットは、隣接するように配列される二つの仕切片と、少なくとも三つの湾曲可能な橋部と、を含み、橋部のうちの一つは、二つの仕切片の間に位置し、その両端が二つの仕切片の互いに対応するエッジとそれぞれ連接し、橋部の残りは、その両端がケースの内面及び内面に対応する仕切片のエッジとそれぞれ連接し、ケースを開けたとき、扇形を呈する三つの収容空間が形成されることを特徴とする。
【００１６】
本考案の人体用粘着シートの加温及び保温装置によると、各仕切片には、更に、貫通孔が少なくとも一つ設けられることを特徴とする。
【００１７】
本考案の人体用粘着シートの加温及び保温装置によると、電気ユニットは、更に、加熱ユニットの温度を制御する温度制御具を含むことを特徴とする。
【００１８】
本考案の人体用粘着シートの加温及び保温装置によると、電気ユニットは、更に、加熱ユニットを加熱する時間を制御する時間制御具を含むことを特徴とする。
【考案の効果】
【００１９】
本考案の人体用粘着シートの加温及び保温装置によれば、粘着シートの加熱が便利となり、加熱温度を有効に制御できるという効果を有する。
【図面の簡単な説明】
【００２０】
【図１】図１は本考案の実施例１の組合済み状態を示す斜視図である。
【図２】図２は本考案の実施例２の組合済み状態を示す斜視図である。
【図３】図３は本考案の実施例３の組合済み状態を示す斜視図である。
【図４】図４は本考案の実施例４の組合済み状態を示す斜視図である。
【図５】図５は本考案の実施例５の組合済み状態を示す斜視図である。
【図６】図６は本考案の実施例６の組合済み状態を示す斜視図である。
【図７】図７は本考案の実施例７の組合済み状態を示す斜視図である。
【図８】図８は本考案の実施例８の組合済み状態を示す斜視図である。
【図９】図９は本考案の実施例９の組合済み状態を示す斜視図である。
【図１０】図１０は本考案の実施例１０の組合済み状態を示す斜視図である。
【考案を実施するための形態】
【００２１】
以下、本考案の実施の形態を図面に基づいて説明する。
（実施例１）
図１を参照する。本実施例の人体用粘着シートの加温及び保温装置は、ケース１２と、電気加熱装置１４と、を少なくとも含む。
【００２２】
ケース１２は、上ケース２２と、下ケース２４と、を含む。
上ケース２２の一端が下ケース２４の一端に枢着されることにより、上ケース２２を旋回すると、上ケース２２と下ケース２４の間には、粘着シート（パッケージ）１３を収容できる。上ケース２２にピン２２１が設けられ、ピン２２１により、下ケース２４の係止片２４１の一端に上ケース２２を枢着できる。係止片２４１の他端が下ケース２４の側面から露呈する。ユーザが係止片２４１を引くと、ピン２２１がリリースされて、ケース１２を開けることができる。このように、上ケース２２と下ケース２４の間に、粘着シート（パッケージ）１３を入れ、又は取り出すことができる。ケース１２の粘着シート（パッケージ）１３を収容可能の数量は、一枚でもいいし、複数枚でもいいし、百枚でもよい。
【００２３】
電気加熱装置１４は、ケース１２に設けられ、電気ユニット４２と、加熱ユニット４４と、を少なくとも備える。
【００２４】
電気ユニット４２は、加熱ユニット４４に電流を供給して熱を発生する。電気ユニット４２は、電源ケーブル４２１を介して住宅用の電気と電気的に接続して加熱ユニット４４に電流を供給し、或いは電圧及び電流を調整して加熱ユニット４４に電流を供給する。
【００２５】
電気ユニット４２は、更に、加熱ユニット４４の温度を制御する温度制御具４２２を含む。温度制御具４２２は、例えばツマミを採用してもよい。
【００２６】
電気ユニット４２は、更に、加熱ユニット４４を加熱する時間を制御する時間制御具４２３を含む。時間制御具４２３は、例えばツマミを採用してもよい。
【００２７】
加熱ユニット４４は、上ケース２２と下ケース２４とに設けられ、粘着シート（パッケージ）１３に熱を供給する。すなわち、加熱ユニット４４は、電気抵抗式電熱プレートを採用し、上ケース２２の内面及び/又は下ケース２４の内面に設けられる。加熱ユニット４４は粘着シート（パッケージ）１３に直接に接触してもよい。このように、熱伝導効果を増加することができる。
【００２８】
（実施例２）
図２を参照する。本実施例の加熱ユニット４４は、電気抵抗式電熱プレートを採用し、上ケース２２の外面及び/又は下ケース２４の外面に設けられる。このように、実施例１と同じ効果が達成できる。
【００２９】
（実施例３）
図３を参照する。本実施例のケース１２は、上ケース２２と下ケース２４が一体成形され、或いは上ケース２２と下ケース２４を組合せて構成される。ケース１２の一側に溝又は隙間２６が設けられ、これにより、粘着シート（パッケージ）１３を入れて加熱することができる。もちろん、上ケース２２と下ケース２４は、複数の部品を組合せて構成されるものでもよい。
【００３０】
（実施例４）
図４を参照する。本実施例の加熱ユニット４４は、四本の電気抵抗式電熱柱を採用し、上ケース２２の内面及び/又は下ケース２４の内面に設けられる。これらの前記電気抵抗式電熱柱は、粘着シート（パッケージ）１３に直接に接触してもよい。このように、熱伝導効果を増加することができる。
【００３１】
（実施例５）
図５を参照する。本実施例の加熱ユニット４４は、入水口４４１と、四つの水蒸気穴４４２と、を含む。もちろん、ケース１２に排気穴（図示せず）を設けてもよい。これにより、ケース１２の内部にある圧力を有効かつ安全にリリースすることができる。
【００３２】
（実施例６）
図６を参照する。温度制御具４２２と時間制御具４２３は、上ケース２２の外面に設けられる。
【００３３】
（実施例７）
図７を参照する。温度制御具４２２は、押圧式ボタンを採用し、例えば三つのボタンを有し、低温３８〜３９℃、中温４２〜４３℃、又は高温４６〜４７℃に切替えることができる。
【００３４】
（実施例８）
図８を参照する。本実施例は、実施例７の上ケース２２と下ケース２４を一体成形し、又は組合せて一体となる。ケース１２の一側に溝又は隙間２６が設けられ、これにより、粘着シート（パッケージ）１３を入れて加熱することができる。
【００３５】
本考案の上ケース２２と下ケース２４は、一体成形してもいいし、組合せてケース１２を構成してもよい。また、前記電気抵抗式電熱板は、上ケース２２の内面及び/又は下ケース２４の内面に設けられてもいいし、上ケース２２の外面及び/又は下ケース２４の外面に設けられてもよい。
【００３６】
本考案の人体用粘着シートの加温及び保温装置は、温度制御具４２２は、ツマミ又は若干の押圧式ボタンを採用でき、これにより、例えば２５〜７５℃範囲の温度を自由に調整でき、各種類の人体用粘着シートを加温し、又は保温することができる。
【００３７】
本考案の人体用粘着シートの加温及び保温装置は、電気ユニット４２は、更に、定温制御具を有し、温度が温度制御具４２２の設定温度よりも低い場合には、前記定温制御具の温度センサーにより電気ユニット４２が電流を加熱ユニット４４に供給して、温度制御具４２２の設定温度まで温度を上げる。電気ユニット４２が電流を加熱ユニット４４に供給しているときには、電気ユニット４２の信号具４２２´（例えば発光ダイオード）が点灯する。
【００３８】
本考案の人体用粘着シートの加温及び保温装置は、電気ユニット４２が電池（図示せず）でもよい。このように、本考案の携帯性が向上し、そして利用が便利になる。
【００３９】
市販している人体用粘着シートは、スキンケア液などを含有し、すず箔製の包装に包まれる。本考案のケース１２は、粘着シート（パッケージ）１３を収容して加熱できるため、加熱ユニット４４による熱により粘着シート（パッケージ）１３を加熱でき、そして加熱温度及び加熱時間を適宜に調整できる。このように、各種類の人体用粘着シートを加温し、又は保温することができる。
【００４０】
（実施例９）
図９を参照する。本実施例では、上ケース２２の一端が下ケース２４の一端に枢着される。加熱ユニット４４は、例えば電気抵抗式電熱板を採用し、上ケース２２の内面及び/又は下ケース２４の内面に設けられる。ケース１２は、更に、上ケース２２と下ケース２４の間に位置する仕切ユニット２６を含む。仕切ユニット２６により、上ケース２２と下ケース２４の間にある収容空間が仕切られる。
【００４１】
仕切ユニット２６は、隣接するように配列される二つの仕切片２６１と、少なくとも三つの湾曲可能な橋部２６２と、を含む。橋部２６２のうちの一つは、二つの仕切片２６１の間に位置し、その両端が二つの仕切片２６１の互いに対応するエッジとそれぞれ連接する。橋部２６２の残りは、その両端がケース１２の内面及び前記内面に対応する仕切片２６１のエッジとそれぞれ連接する。ケース１２を開けたと、扇形を呈する三つの収容空間が形成され、前記収容空間に粘着シート（パッケージ）１３を入れ、又は取り出すことができる。各仕切片２６１には、更に、貫通孔２６１´が少なくとも一つ設けられる。貫通孔２６１´により、加熱の対流効果を増加できる。温度制御具４２２は、ツマミを採用し、例えば２５〜７５℃範囲に温度を調整できる。時間制御具４２３は、二つのボタンを採用し、前記ボタンのうちの一つを押圧すると、電流が本考案の装置に流入し、前記ボタンの残りを押圧すると、電流が切れられる。すなわち、本実施例では、手動方式によって加熱ユニット４４の加熱時間を制御でき、そして電気ユニット４２は、本考案の装置を定温するための定温制御具を有する。
【００４２】
（実施例１０）
図１０を参照する。本実施例の温度制御具４２２は、三つのセクションを選択可能である。前記三つのセクションは、それぞれ例えば一枚、二枚と三枚の粘着シート（パッケージ）１３を加熱したいときに選定すべきものである。すなわち、適宜の前記セクションを選定した場合、それに対応する枚数の粘着シート（パッケージ）１３を加熱することができる。
【産業上の利用可能性】
【００４３】
本考案は、人体用粘着シートを加温し、又は保温するための装置に適用することができる。
【符号の説明】
【００４４】
１２：ケース
１３：粘着シート（パッケージ）
１４：電気加熱装置
２２：上ケース
２４：下ケース
２６：隙間
４２：電気ユニット
４４：加熱ユニット
２２１：ピン
２４１：係止片
４２１：電源ケーブル
４２２：温度制御具
４２２´：信号具
４２３：時間制御具
４４１：入水口
４４２：水蒸気穴
【図１】
0003174657.tif 000003
【図２】
0003174657.tif 000004
【図３】
0003174657.tif 000005
【図４】
0003174657.tif 000006
【図５】
0003174657.tif 000007
【図６】
0003174657.tif 000008
【図７】
0003174657.tif 000009
【図８】
0003174657.tif 000010
【図９】
0003174657.tif 000011
【図１０】
0003174657.tif 000012